(57)【特許請求の範囲】
【請求項１】
筒状に連設した複数の側板１〜４を有し、前記側板２の上端に上フラップ６を連設し、前記側板２の下端に下フラップ１０を連設し、前記上フラップ６の一部を切り起こして帯片１５を形成し、前記下フラップ１０の一部を切り起こして帯片１８を形成し、前記上フラップ６の帯片１５と前記下フラップ１０の帯片１８を互いに接続して衣類ハンガー引っ掛け用の帯部材を形成する衣類梱包箱。
【請求項２】
前記上フラップ６の帯片１５と前記下フラップ１０の帯片１８にその帯片の内部から側縁に至る切目線１６、１９を入れ、その切目線１６、１９の位置で前記上フラップ６の帯片１５と前記下フラップ１０の帯片１８を互いに引っ掛けて接続する請求項１に記載の衣類梱包箱。
【発明の詳細な説明】
【技術分野】
【０００１】
この発明は、ジャケット、ブラウスなどの衣類を梱包する衣類梱包箱に関する。
【背景技術】
【０００２】
衣類ハンガー引っ掛け用の帯部材を形成可能な衣類梱包箱として、図９に示すように、互いに平行な２本の切目線３０、３１を側板３２から下フラップ３３に至らせて形成し、切目線３０、３１の間に形成される帯状部分３４を内側に押し込み、その押し込んだ帯状部分３４に衣類ハンガーのフックを引っ掛け可能とした段ボール箱が知られている（特許文献１）。
【０００３】
しかし、この段ボール箱は、帯状部分３４の位置で側板３２が開口する。そのため、その開口を通じて外部からほこり等の異物が入り込み、梱包した衣類が汚れる可能性があった。また、その開口によって箱の強度が低下する問題もあった。
【０００４】
【特許文献１】特開２００５−２２７０５号公報
【発明の開示】
【発明が解決しようとする課題】
【０００５】
この発明が解決しようとする課題は、側板を開口させずに衣類ハンガー引っ掛け用の帯部材を形成可能な衣類梱包箱を提供することである。
【課題を解決するための手段】
【０００６】
上記の課題を解決するために、上フラップの一部を切り起こして帯片を形成し、下フラップの一部を切り起こして帯片を形成し、上フラップの帯片と下フラップの帯片を互いに接続して衣類ハンガー引っ掛け用の帯部材を形成するようにした。
【０００７】
この衣類梱包箱は、前記上フラップの帯片と前記下フラップの帯片にその帯片の内部から側縁に至る切目線を入れ、その切目線の位置で前記上フラップの帯片と前記下フラップの帯片を互いに引っ掛けて接続するようにするとより好ましい。
【発明の効果】
【０００８】
この発明の衣類梱包箱は、上フラップの帯片と下フラップの帯片を接続してハンガー引っ掛け用の帯部材を形成するので、帯部材を形成したときに側板が開口しない。そのため、梱包した衣類が汚れにくく、また、帯部材を形成することによる箱の強度低下が生じにくい。
【０００９】
さらに、前記上フラップの帯片と前記下フラップの帯片にその帯片の内部から側縁に至る切目線を入れ、その切目線の位置で前記上フラップの帯片と前記下フラップの帯片を互いに引っ掛けて接続するようにしたものは、上フラップの帯片と下フラップの帯片を接続するのに接着剤などの別部材を必要としないので、組み立てが簡単であり、経済的である。
【発明を実施するための最良の形態】
【００１０】
以下、この発明の衣類梱包箱の実施形態を、図１から図６に基づいて説明する。この衣類梱包箱のブランクは、図１に示すように、順に連なった４枚の側板１〜４と、その側板１〜４の上端にそれぞれ連設された上フラップ５〜８と、側板１〜４の下端にそれぞれ連設された下フラップ９〜１２を有する。側板１には継ぎ代１３が連設されている。
【００１１】
蓋を形成したときに内側となる上フラップ６、８は、図２に示すようにコ字状に形成された切目線１４を有し、切目線１４の内側に形成される帯片１５には、帯片１５の内部から側縁に至る切目線１６が形成されている。
【００１２】
同様に、底を形成したときに内側となる下フラップ１０、１２も、コ字状に形成された切目線１７を有し、切目線１７の内側に形成される帯片１８には、帯片１８の内部から側縁に至る切目線１９が形成されている。
【００１３】
このブランクは、たとえば次のようにして組み立てることができる。
【００１４】
側板１〜４を、隣り合う側板の間の罫線に沿って筒状に折り曲げ、側板４の裏面に継ぎ代１３を接着する。つづいて、下フラップ１０、１２を内側に折り曲げ、さらに下フラップ９、１１を内側に折り曲げて下端開口を閉じる（図３参照）。
【００１５】
つぎに、下フラップ１０から帯片１８を起こすとともに上フラップ６から帯片１５を起こし、起こした帯片１５、１８を切目線１６、１９の位置で互いに引っ掛けて接続する（図４参照）。同様に、下フラップ１２の帯片１８と上フラップ８の帯片１５も互いに引っ掛けて接続する。
【００１６】
このように帯片１５、１８を接続して帯部材を形成すると、図５に示すように、ハンガーＨのフックをその帯部材に引っ掛けて衣類Ｃを収納することが可能となる。このとき、衣類Ｃの向きを交互にして衣類Ｃを収納すると、重なり合った衣類Ｃの厚さが均一となり、効率がよい。こうして衣類Ｃを収納した後、上フラップ６、８を内側に折り曲げ、さらに上フラップ５、７を内側に折り曲げて上端開口を閉じる（図６参照）。
【００１７】
このように、ハンガーＨのフックを帯部材に引っ掛けた状態で衣類Ｃを輸送すると、輸送中に衣類Ｃが箱内を移動して皺になるのを防止することができる。
【００１８】
この衣類梱包箱は、上フラップ６、８の帯片１５と下フラップ１０、１２の帯片１８を接続して帯部材を形成するので、帯部材を形成したときに側板１〜４が開口しない。そのため、外部からほこり等の異物が入り込まず、梱包した衣類Ｃが汚れにくい。また、帯部材を形成することによる箱の強度低下が生じにくい。
【００１９】
また、帯片１５、１８を切目線１６、１９の位置で引っ掛けて接続するようにしたので、帯部材を形成するのに接着剤などの別部材を必要とせず、組み立てが簡単である。また、経済性に優れる。
【００２０】
帯片１５は、上フラップ６の内部から延びるように形成してもよいが、図４に示すように側板２の上端から延びるように形成すると好ましい。このようにすると、上フラップ６を開閉しても帯片１５の基端の位置が変化しないので、帯部材の姿勢が安定し、衣類Ｃの梱包、取り出しを行なうときに帯部材が破損しにくい。同様に、帯片１８も側板２の下端から延びるように形成すると好ましい。
【００２１】
切目線１６は、図２に示すように帯片１５の基端側に湾曲して帯片１５の側縁に至るように形成し、切目線１９も、帯片１８の基端側に湾曲して帯片１８の側縁に至るように形成すると好ましい。このようにすると、図７に示すように帯片１５、１８を互いに引っ掛けたときに、帯片１５の切目線１６よりも先端側の部分２０と、帯片１８の切目線１９よりも先端側の部分２１とが帯片の幅方向に互いに係合するので、帯片１５、１８の接続がより外れにくくなる。
【００２２】
このように切目線１６、１９を湾曲させて形成する場合、図２に示すように切目線１６、１９の端の位置から帯片の幅方向に延びる折曲線２２、２３を形成しておくと、帯片１５、１８を互いに引っ掛ける作業がより円滑となって好ましい。
【００２３】
この衣類梱包箱は、段ボールで形成すると好ましいが、厚紙やプラスチック板で形成してもよい。
【００２４】
上記実施形態では、帯片１５、１８を切目線１６、１９の位置で引っ掛けて接続したが、他の方式で接続してもよく、たとえば図８に示すように帯片１５に長手方向に延びる２本のスリット２４、２４を形成し、他方の帯片１８に切り起こし部２５、２５を形成し、その切り起こし部２５をスリット２４に挿入して帯片１５、１８を接続してもよい。
【００２５】
また、上記実施形態では、上フラップ６、８に上フラップ５、７を重ね合わせて箱の上端開口を閉じたが、他の方式で箱の上端開口を閉じるようにしてもよい。たとえば、先端に差し込み片を有する蓋板を側板１の上端に連設し、その蓋板を上フラップ６、８に重ね合わせて箱の上端開口を閉じるようにしてもよい。
【図面の簡単な説明】
【００２６】
【図１】この発明の実施形態の衣類梱包箱のブランクを示す図
【図２】図１のブランクの帯片の部分の拡大図
【図３】図１の衣類梱包箱の組立過程を示す斜視図
【図４】図２の衣類梱包箱の帯片を接続した状態を示す斜視図
【図５】図４の衣類梱包箱に衣類を収納した状態を示す斜視図
【図６】図５の衣類梱包箱の上端開口を閉じた状態を示す斜視図
【図７】図４の衣類梱包箱の帯片部分の拡大図
【図８】図２の帯片の変形例を示す図
【図９】従来の衣類梱包箱を示す斜視図
【符号の説明】
【００２７】
１、２、３、４    側板
５、６、７、８    上フラップ
９、１０、１１、１２    下フラップ
１５    帯片
１６    切目線
１８    帯片
１９    切目線
【図１】
0004727345.tif 000002
【図２】
0004727345.tif 000003
【図３】
0004727345.tif 000004
【図４】
0004727345.tif 000005
【図５】
0004727345.tif 000006
【図６】
0004727345.tif 000007
【図７】
0004727345.tif 000008
【図８】
0004727345.tif 000009
【図９】
0004727345.tif 000010